(57)【要約】【課題】  簡単に挿入保持でき且つ自由な位置で操作することができるタブレット端末用ハンドルとホルダーを提供する。【解決手段】  ホルダー１は、溝部１Ａ、 背部１Ｂ、前部１Ｃおよび底部１Ｄを備える。タブレット端末をホルダー１の溝部１Ａに挿入し、弾力構成品１Ｂーｃで保持する。保持プレート３は、保持部３Ａでタブレット端末の上部を保持し、ハンドル端部２Ｃ−ａでプレート部３Ｂをホルダー１に締付固定する。ハンドル２をホルダー１の底部１Ｄにメネジ１Ｄ−ａに接続固定することにより、ハンドル２を片手で持ちタブレット端末を自由に操作することができる。【選択図】図１
2015022687.tif 000002
【特許請求の範囲】
【請求項１】
タブレット端末をホルダーに挿入保持する手段、ホルダーと保持プレートでタブレット端末を強固に固定する手段、ハンドルをホルダーに接続固定する手段、および取外したハンドル端部をホルダーに接続固定する手段とで構成することを特徴とするタブレット端末用ハンドルとホルダーを設けたものである。
【請求項２】
前記タブレット端末をホルダーに挿入保持する手段は、タブレット端末をホルダーの溝部に挿入し、ホルダー背面に組込んだ弾力構成品の押付け力で保持することを特徴とする請求項１記載のタブレット端末用ハンドルとホルダー。
【請求項３】
前記ホルダーと保持プレートでタブレット端末を強固に固定する手段は、タブレット端末の上部に保持プレートの保持部を取付け、プレート部をホルダー背部のメネジ位置に合わせ、ハンドルから取外した２段式オネジ端部で保持プレートとホルダーを締付固定することを特徴とする請求項１記載のタブレット端末用ハンドルとホルダー。
【請求項４】
前記ハンドルをホルダーに接続固定する手段は、ハンドルの外周オネジ端部をホルダー底部のメネジ部に接続固定し、ハンドルとホルダーを一体化することを特徴とする請求項１に記載のタブレット端末用ハンドルとホルダー。
【請求項５】
前記ハンドルは、両端部をメネジとオネジ構成にしているハンドル中央部と２段式オネジ構造のハンドル端部とメネジ構造のハンドル端部とで締付構成した構造である。ハンドル端部は、鍔またはスリットを設けた構造で容易にホルダー底部のメネジ部に接続固定することを特徴とする請求項１記載のタブレット端末用ハンドルとホルダー。
【請求項６】
前記取外したハンドル端部をホルダーに接続固定する手段は、ハンドルから取外したハンドル端部の外周ネジ部をホルダー底部のメネジ部にネジ接続固定し、異種のメネジ部を設けることを特徴とする請求項１記載のタブレット端末用ハンドルとホルダー。
【発明の詳細な説明】
【技術分野】
【０００１】
本発明は、タブレット端末の利便性を高めるタブレット端末用ハンドルとホルダーに関する。
【背景技術】
【０００２】
タブレット端末等の電子機器の保持、操作性を高める方式として、下記特許文献１が開示されている。
【先行技術文献】
【特許文献】
【０００３】
【特許文献１】特開２０１２−２３０５４８号公報
【発明の概要】
【発明が解決しようとする課題】
【０００４】
電子機器の側部にグリップ部材支持機構を設けている従来の技術は、電子機器のタブレット端末が持つソフトを十二分に活用することができないという問題があった。
【０００５】
本発明は、上記のような問題点を解消するためになされたもので、タブレット端末のソフトを十二分に活用できるタブレット端末用ハンドルとホルダーを得ることを目的とする。
【課題を解決するための手段】
【０００６】
本発明は上記目的を達成するために、タブレット端末をホルダーに挿入保持する手段、ホルダーと保持プレートでタブレット端末を強固に固定する手段、ハンドルをホルダーに接続固定する手段、および取外したハンドル端部をホルダーに接続固定する手段とで構成するタブレット端末用ハンドルとホルダーを設けたものである。
【０００７】
前記タブレット端末をホルダーに挿入保持する手段は、タブレット端末をホルダーの溝部に挿入し、ホルダー背面に組込んだ弾力構成品の押付け力で保持する。
【０００８】
ホルダーと保持プレートでタブレット端末を強固に固定する手段は、タブレット端末の上部に保持プレートの保持部を取付け、プレート部をホルダー背部のメネジ位置に合わせ、ハンドルから取外した２段式オネジ端部で保持プレートとホルダーを締付固定する。
【０００９】
ハンドルをホルダーに接続固定する手段は、ハンドルの外周オネジ端部をホルダー底部のメネジ部に接続固定し、ハンドルとホルダーを一体化する。
【００１０】
取外したハンドル端部をホルダーに接続固定する手段は、ハンドルから取外したハンドル端部の外周ネジ部をホルダー底部のメネジ部にネジ接続固定し、異種のメネジ部を設ける。
【発明の効果】
【００１１】
上述したように本発明は、タブレット端末が持つ各種のソフトに対応でき、操作性の高いタブレット端末用ハンドルとホルダーを提供できる。
【００１２】
タブレット端末を挿入保持したホルダーに、接続固定したハンドル端部のメネジ部に三脚等を取付け、タブレット端末が持つビデオ機能を活用し、撮影位置を定めビデオ撮影でき、またハンドル中央部オネジ部にデジタルカメラ等を取付けることで、タブレット端末でビデオ撮影とデジタルカメラでカメラ撮影が同時にできるという効果を生むことができる。
【００１３】
タブレット端末を挿入したホルダー、ハンドルを片手持ちすることで、タブレット端末を直接持つより安定して保持できる。屋外、屋内において自由な姿勢でタブレット端末を楽に操作することができる。    
【００１４】
ホルダー底部のメネジ部にタブレット端末のアクセサリーを取付けることで、タブレット端末が持つ、テレビ電話等のソフトを効果的に活用できる。
【図面の簡単な説明】
【００１５】
【図１】本発明のハンドルとホルダーの外観形状を示す斜視図である。
【図２】本発明のホルダーとハンドルの部品構成を示す部品斜視図である。
【発明を実施するための形態】
【００１６】
以下、本発明の実施の形態を図１、図２に基づいて説明する。
【００１７】
図１において、上記目的を達成するために、ホルダー１は、溝部１Ａ、背部１Ｂ、前面部１Ｃ、および底部１Ｄで構成する。溝部１Ａにタブレット端末を挿入し、ホルダー背部１Ｂのスリット部１Ｂ−ｂに組込んだゴム、バネを主とする弾力構成品１Ｂ−ｃの押付け力で、タブレット端末の裏面部を加圧することでホルダー１に保持できる。
【００１８】
タブレット端末とホルダー１を強固に固定する場合は、保持プレート３の保持部３Ａをタブレット端末の上部に取付け、プレート部３Ｂをホルダー背部のネジ位置１Ｂ−ａに合わせ、ハンドル２から取外した２段式オネジ端部２Ｃ−ａで締付固定する。
【００１９】
図２に示すハンドル２は、ハンドル中央部２Ａと両端部２Ｂ、２Ｃの3分割で構成している。両端部の外周部は、ホルダー１と接続可能とするオネジ構造である。ハンドル端部は、ハンドル中央部２Ａと鍔付きで中心部に小さいメネジを設けたハンドル端部２Ｂ−ａ、鍔付きで中心部に小さいオネジを設けた２段式オネジ構造のハンドル端部２Ｃ−ａとで構成したハンドル２、またはハンドル中央部２Ａと片側スリット構造で中心部に小さいメネジを設けたハンドル端部２Ｂ−ｂと、片側スリット構造で中心部に小さいオネジを設けた２段式オネジ構造のハンドル端部２Ｃ−ｂとで構成したハンドル２とする。
【００２０】
取外したハンドル端部をホルダー１に接続固定する手段は、ハンドル２から取外したハンドル端部の外周オネジ部をホルダー底部メネジ部１Ｄ−ａに接続固定し、小さいネジ部を活用して三脚、アクセサリーを取付けることができる。
【符号の説明】
【００２１】
１    ホルダー
１Ａ  溝部
１Ｂ  背部
１Ｂ−ａ  プレート取付メネジ部
１Ｂ−ｂ  背部スリット部
１Ｂ−ｃ  弾力構成品
１Ｃ  前面部
１Ｄ  底部
１Ｄーａ  ハンドル取付けネジ部
２    ハンドル
２Ａ    ハンドル中央部
２Ｂ−ａ    メネジ構造ハンドル端部Ｂａ
２Ｂ−ｂ    メネジ構造ハンドル端部Ｂｂ
２Ｃ−ａ    ２段式オネジ構造ハンドル端部Ｃａ
２Ｃ−ｃ    ２段式オネジ構造ハンドル端部Ｃｂ
３    保持プレート
３Ａ   保持部
３Ｂ     プレート部
【図１】
2015022687.tif 000003
【図２】
2015022687.tif 000004